(57)【要約】【課題】電線の圧着端子間の絶縁性をより適切に確保することができるコネクタを提供する。【解決手段】コネクタ１は、複数の制御用端子３Ａ及び一対の電源用端子３Ｂと、電源用端子３Ｂに導通され、電線５の端部に設けられた圧着端子５１Ａ，５１Ｂが螺子によって締結される一対の締結金具４と、制御用端子３Ａ、電源用端子３Ｂ及び締結金具４を保持するハウジング２とを備える。ハウジング２の裏側面２０１における、締結金具４の締結面４２同士の間に位置する部位には、圧着端子５１Ａ，５１Ｂ同士を絶縁するための絶縁リブ２４が設けられている。絶縁リブ２４は、直線絶縁部２４１と、直線絶縁部２４１における、圧着端子５１Ａ，５１Ｂ及び電線５が配置される側に位置する端部から、２つに分岐して設けられた一対の分岐絶縁部２４２Ａ，２４２Ｂとを有する。【選択図】図１
2020136180.tif 000002
【特許請求の範囲】
【請求項１】
複数の制御用端子及び一対の電源用端子と、
前記電源用端子に導通され、電線の端部に設けられた圧着端子が螺子によって締結される一対の締結金具と、
前記制御用端子、前記電源用端子及び前記締結金具を保持するハウジングと、を備え、
前記ハウジングの表面における、前記締結金具の締結面同士の間に位置する部位には、前記締結面に締結された前記圧着端子同士の間に位置して、前記圧着端子同士を絶縁するための絶縁リブが設けられており、
前記絶縁リブは、直線絶縁部と、前記直線絶縁部における、前記圧着端子及び前記電線が配置される側に位置する端部から、２つに分岐して設けられた一対の分岐絶縁部とを有する、コネクタ。
【請求項２】
一対の前記分岐絶縁部は、前記直線絶縁部の前記端部からＶ形状に開いて形成されている、請求項１に記載のコネクタ。
【請求項３】
前記コネクタは、オイルを使用する機械部品に取り付けられて使用されるものであり、
前記ハウジングの表面の周縁部には、前記コネクタと前記機械部品との間を封止するための封止材が配置されており、
前記ハウジングの表面における、一対の前記分岐絶縁部の間には、前記封止材に設けられた封止材取付部の位置決めをするための位置決め部が設けられている、請求項１又は請求項２に記載のコネクタ。
【請求項４】
前記直線絶縁部が一対の前記分岐絶縁部の上側に位置する状態で前記ハウジングの表面を見たときに、右側に位置する前記分岐絶縁部を右側分岐絶縁部とするとともに、右側に位置する前記締結面に締結された前記圧着端子を右側圧着端子とし、かつ、左側に位置する前記分岐絶縁部を左側分岐絶縁部とするとともに、左側に位置する前記締結面に締結された前記圧着端子を左側圧着端子としたとき、
前記右側圧着端子は、前記締結面に前記螺子によって締結される際に、前記右側分岐絶縁部の端部によって回り止めがなされるよう構成されており、
前記左側圧着端子は、前記締結面に前記螺子によって締結される際に、前記ハウジングの表面における、前記左側分岐絶縁部の端部と対向する位置に設けられた突起によって回り止めがなされるよう構成されている、請求項１から請求項３のいずれか１項に記載のコネクタ。
【発明の詳細な説明】
【技術分野】
【０００１】
本発明は、コネクタに関する。
【背景技術】
【０００２】
コネクタは、種々の電子制御部品を制御装置に電気接続するために用いられる。コネクタには、種々のセンサ、アクチュエータ等の制御に用いられる制御用端子と、電源の供給に用いられる電源用端子とが設けられる。また、コネクタには、電線の圧着端子を接続するための締結金具が電源用端子に導通された状態で設けられることがある。この場合、締結金具に設けられたネジ穴に、ビスによって電線の圧着端子が締結される。
【０００３】
このような締結金具が設けられたコネクタとしては、特許文献１に記載されたものがある。特許文献１のコネクタにおいては、ハウジングに、電線の端子の突部が嵌まり込むことによって、端子の取付部を回り止め状態で位置決めする凹部を一対に形成することが記載されている。また、このコネクタにおいては、凹部内に配置されたナットに、ボルトが締め付けられることによって、電線の端子がコネクタの端子接続部に接続されている。
【先行技術文献】
【特許文献】
【０００４】
【特許文献１】特開２０１５−１９８０３３号公報
【発明の概要】
【発明が解決しようとする課題】
【０００５】
特許文献１のコネクタにおいては、コネクタのハウジングに、電線の配線位置をガイドする部位が形成されている。そのため、コネクタにおける電線及び圧着端子の配置箇所が常に規制される。
【０００６】
一方、コネクタの締結金具に電線の圧着端子を取り付ける向きは、必ずしも一定の向きに規制されるとは限らない。すなわち、コネクタのハウジングに、電線の配線位置をガイドする部位等が設けられていない場合には、コネクタの締結金具に電線の圧着端子を締結する際に、電線及び圧着端子の配線方向が定まりにくい。そのため、このような場合には、ハウジングにおいて、圧着端子同士の間隔を維持するための絶縁リブの形状が重要になることが分かった。
【０００７】
本開示は、かかる課題に鑑みてなされたもので、電線の圧着端子間の絶縁性をより適切に確保することができるコネクタを提供しようとして得られたものである。
【課題を解決するための手段】
【０００８】
本開示の一態様は、複数の制御用端子及び一対の電源用端子と、
前記電源用端子に導通され、電線の端部に設けられた圧着端子が螺子によって締結される一対の締結金具と、
前記制御用端子、前記電源用端子及び前記締結金具を保持するハウジングと、を備え、
前記ハウジングの表面における、前記締結金具の締結面同士の間に位置する部位には、前記締結面に締結された前記圧着端子同士の間に位置して、前記圧着端子同士を絶縁するための絶縁リブが設けられており、
前記絶縁リブは、直線絶縁部と、前記直線絶縁部における、前記圧着端子及び前記電線が配置される側に位置する端部から、２つに分岐して設けられた一対の分岐絶縁部とを有する、コネクタにある。
【発明の効果】
【０００９】
前記一態様のコネクタにおいては、電線の圧着端子同士の間の絶縁性を確保するための、ハウジングの絶縁リブの形状に工夫をしている。具体的には、絶縁リブは、直線絶縁部と、直線絶縁部における、圧着端子及び電線が配置される側に位置する端部から、２つに分岐して設けられた一対の分岐絶縁部とを有する。ハウジングには、電線の配線位置をガイドするための部位は形成されていない。
【００１０】
そして、ハウジングにおける締結金具に電線の圧着端子が締結される際には、絶縁リブに一対の分岐絶縁部が設けられていることにより、圧着端子同士の間の最短距離が一対の分岐絶縁部の最大間隔よりも小さくならないようにすることができる。これにより、ハウジングに、電線の配線位置をガイドするための部位が形成されていない場合において、電線の圧着端子間の絶縁性をより適切に確保することができる。
【００１１】
それ故、前記一態様のコネクタによれば、電線の圧着端子間の絶縁性をより適切に確保することができる。
【００１２】
前記一態様のコネクタにおける圧着端子は、貫通穴が形成されたリング状の締結部に、電線の導体部に加締められる圧着部が設けられた一般的なものとすることができる。また、これ以外にも、圧着端子は、螺子が配置される取付部と、電線の導体部に固定される種々の固定部を有するものであってもよい。
【図面の簡単な説明】
【００１３】
【図１】実施形態にかかる、コネクタを示す斜視図。
【図２】実施形態にかかる、コネクタを示す平面図。
【図３】実施形態にかかる、コネクタを示す側面図。
【図４】実施形態にかかる、封止材を簡易的に示す平面図。
【図５】実施形態にかかる、他のコネクタを示す平面図。
【図６】実施形態にかかる、他のコネクタを示す平面図。
【発明を実施するための形態】
【００１４】
前述したコネクタにかかる好ましい実施形態について、図面を参照して説明する。
＜実施形態＞
本形態のコネクタ１は、図１に示すように、複数の制御用端子３Ａ及び一対の電源用端子３Ｂと、電源用端子３Ｂに導通され、電線５の端部に設けられた圧着端子５１Ａ，５１Ｂが螺子５２によって締結される一対の締結金具４と、制御用端子３Ａ、電源用端子３Ｂ及び締結金具４を保持するハウジング２とを備える。
【００１５】
図１及び図２に示すように、ハウジング２の表面としての裏側面２０１における、締結金具４の締結面４２同士の間に位置する部位には、締結面４２に締結された圧着端子５１Ａ，５１Ｂ同士の間に位置して、圧着端子５１Ａ，５１Ｂ同士を絶縁するための絶縁リブ２４が設けられている。絶縁リブ２４は、直線絶縁部２４１と、直線絶縁部２４１における、圧着端子５１Ａ，５１Ｂ及び電線５が配置される側に位置する端部から、２つに分岐して設けられた一対の分岐絶縁部２４２Ａ，２４２Ｂとを有する。
【００１６】
以下に、本形態のコネクタ１について詳説する。
（コネクタ１）
図３に示すように、コネクタ１は、車両に用いられる種々の電子制御部品７１を制御装置７２、電源７３等に電気接続するために用いられる。また、コネクタ１は、電子制御部品７１から制御装置７２、電源７３等までの電気配線を中継するための中継コネクタとして用いられる。電気配線には、制御用の配線と電源用の配線とがあり、コネクタ１には、制御用端子３Ａと電源用端子３Ｂとが設けられている。
【００１７】
コネクタ１は、自動変速機等のオイルを使用する機械部品６に取り付けられて使用される。機械部品６には、種々の電子制御部品７１が設けられ、種々の電子制御部品７１は制御装置７２によって制御される。機械部品６においては、作動油、潤滑油等としてのオイルが用いられる。機械部品６は、オイル等の液体が用いられる機械部品の他、電子制御部品７１が設けられた種々の機械部品とすることができる。
【００１８】
（ハウジング２）
図１及び図２に示すように、コネクタ１のハウジング２には、コネクタ１を機械部品６に取り付けるための取付部２２が形成されている。取付部２２は、ハウジング２の本体部２１から突出して形成されており、取付部２２には、ボルト２２２を挿通可能な取付穴２２１が形成されている。本形態の取付部２２及び取付穴２２１は、ハウジング２の２箇所に形成されている。
【００１９】
図１及び図３に示すように、ハウジング２の本体部２１は、板形状に形成されており、本体部２１の裏側面２０１は、封止材２８を介して機械部品６のケース６１に取り付けられる。締結金具４の締結面４２は、ハウジング２の本体部２１の裏側面２０１に配置されており、電線５の圧着端子５１Ａ，５１Ｂは、ハウジング２の本体部２１の裏側面２０１に配置される。封止材２８は、機械部品６において用いられるオイルが、コネクタ１の取付位置において機械部品６のケース６１からオイルが漏洩することを防ぐために用いられる。
【００２０】
（制御用端子３Ａ及び電源用端子３Ｂ）
電子制御部品７１には、種々のセンサ、アクチュエータ等がある。コネクタ１の制御用端子３Ａは、電子制御部品７１の制御を行うための端子として用いられる。コネクタ１の電源用端子３Ｂは、電子制御部品７１に電源７３からの電力を供給するための端子として用いられる。
【００２１】
（制御用コネクタ装着部２３Ａ及び電源用コネクタ装着部２３Ｂ）
図１及び図３に示すように、本形態のコネクタ１のハウジング２においては、複数の制御用端子３Ａが配置された制御用コネクタ装着部２３Ａと、一対の電源用端子３Ｂが配置された電源用コネクタ装着部２３Ｂとが形成されている。制御用コネクタ装着部２３Ａは、ハウジング２の本体部２１の裏側面２０１及び表側面２０２から突出して、ハウジング２の本体部２１の両側に形成されている。各制御用コネクタ装着部２３Ａは、複数の制御用端子３Ａの端部を囲う筒形状に形成されている。電源用コネクタ装着部２３Ｂは、ハウジング２の本体部２１の裏側面２０１から突出して形成されている。電源用コネクタ装着部２３Ｂは、複数の電源用端子３Ｂの端部を囲う筒形状に形成されている。
【００２２】
ハウジング２には、締結面４２に締結される圧着端子５１Ａ，５１Ｂに繋がる電線５をガイド（案内）する部位は形成されていない。圧着端子５１Ａ，５１Ｂ及び電線５は、絶縁リブ２４又は後述する突起２５によって、締結金具４の締結面４２に配置するときの位置がガイドされる。
【００２３】
本形態のコネクタ１は、導体ピンによる制御用端子３Ａ及び電源用端子３Ｂが設けられた雄コネクタである。各制御用コネクタ装着部２３Ａ及び電源用コネクタ装着部２３Ｂには、雌コネクタ１１が装着される。雌コネクタ１１には、複数の制御用端子３Ａの端部又は複数の電源用端子３Ｂの端部が挿入される複数の導体金具が設けられている。雌コネクタ１１の各導体金具には、電線が取り付けられている。
【００２４】
（締結金具４）
図１〜図３に示すように、締結金具４は、ハウジング２において、電源用端子３Ｂと導通されている。締結金具４は、圧着端子５１Ａ，５１Ｂが設けられた電線５と電源用端子３Ｂとを電気的に接続する。締結金具４の締結面４２は、ハウジング２の本体部２１の裏側面２０１に配置されている。締結金具４における、締結面４２が形成された平板部４１には、螺子５２が締め付けられるネジ穴４３が形成されている。一対の締結金具４における各締結面４２は、ハウジング２の本体部２１の裏側面２０１に平行に配置されている。
【００２５】
締結金具４の一部は、ハウジング２の本体部２１内に埋設されており、締結金具４の平板部４１を含む残部は、ハウジング２の本体部２１の裏側面２０１から突出して配置されている。制御用コネクタ装着部２３Ａ及び絶縁リブ２４は、ハウジング２の本体部２１の裏側面２０１において、締結金具４の締結面４２よりも裏側に突出して形成されている。
【００２６】
（封止材２８）
図１〜図４に示すように、ハウジング２の本体部２１の表面としての裏側面２０１の周縁部には、コネクタ１と機械部品６との間を封止するための封止材２８が配置されている。封止材２８は、制御用コネクタ装着部２３Ａ、絶縁リブ２４、締結金具４、及び圧着端子５１Ａ，５１Ｂの締結部５１１を囲む状態で、ハウジング２の本体部２１の裏側面２０１の周縁部に配置される。圧着端子５１Ａ，５１Ｂの一部及び電線５は、封止材２８又は機械部品６のケース６１に設けられた切欠き部を介して、封止材２８の外部に配置される。
【００２７】
ハウジング２の裏側面２０１における、一対の分岐絶縁部２４２Ａ，２４２Ｂの間には、封止材２８に設けられた封止材取付部２８１の位置決めをするための位置決め部２７が設けられている。位置決め部２７は、ハウジング２の裏側面２０１における、一対の分岐絶縁部２４２Ａ，２４２Ｂが設けられた位置とは反対側の位置にも設けられている。位置決め部２７は、一対の分岐絶縁部２４２Ａ，２４２Ｂの間の位置に一対に配置されているとともに、制御用コネクタ装着部２３Ａに隣接する位置に一対に配置されている。
【００２８】
ハウジング２の本体部２１の裏側面２０１には、封止材２８が嵌め込まれる溝部２６が形成されている。位置決め部２７は、溝部２６から連続する凹部２７１として形成されており、封止材２８の封止材取付部２８１は位置決め部２７としての凹部２７１に嵌め込まれる。位置決め部２７には、封止材取付部２８１に設けられた位置決め穴２８２に挿入される位置決めピン２７２が設けられている。封止材２８は、その周縁部の端部が溝部２６に嵌め込まれるとともに、その封止材取付部２８１が位置決め部２７に取り付けられて、コネクタ１のハウジング２と機械部品６のケース６１との間に挟持される。
【００２９】
ハウジング２の本体部２１の裏側面２０１における一対の分岐絶縁部２４２Ａ，２４２Ｂの間に位置決め部２７が配置されていることにより、一対の分岐絶縁部２４２Ａ，２４２Ｂの間に形成されるスペースを利用して、ハウジング２に対する封止材２８の位置決めを行うことができる。
【００３０】
（絶縁リブ２４）
図１及び図２に示すように、ハウジング２の本体部２１の裏側面２０１において、絶縁リブ２４の直線絶縁部２４１の一端は制御用コネクタ装着部２３Ａに繋がっており、直線絶縁部２４１の他端には一対の分岐絶縁部２４２Ａ，２４２Ｂが繋がっている。絶縁リブ２４は、ハウジング２の本体部２１の裏側面２０１において、制御用コネクタ装着部２３Ａが設けられていない領域部分を２つに分割する状態で形成されている。締結金具４及び圧着端子５１Ａ，５１Ｂは、絶縁リブ２４を間に介する両側に配置されている。
【００３１】
直線絶縁部２４１における、圧着端子５１Ａ，５１Ｂ及び電線５が配置される側に位置する端部は、ハウジング２の本体部２１の裏側面２０１において制御用コネクタ装着部２３Ａが位置する側とは反対側に位置する。また、「直線絶縁部２４１における、圧着端子５１Ａ，５１Ｂ及び電線５が配置される側」とは、本体部２１の裏側面２０１において、圧着端子５１Ａ，５１Ｂに対して電線５が取り付けられた側のことをいう。
【００３２】
一対の分岐絶縁部２４２Ａ，２４２Ｂは、直線絶縁部２４１の端部からＶ形状に開いて形成されている。換言すれば、一対の分岐絶縁部２４２Ａ，２４２Ｂは、直線絶縁部２４１から離れるに連れて分岐絶縁部２４２Ａ，２４２Ｂ同士の間隔が大きくなる形状に形成されている。
【００３３】
一対の分岐絶縁部２４２Ａ，２４２Ｂ同士の間において最も離れた端部によって、コネクタ１に取り付けられる一対の圧着端子５１Ａ，５１Ｂの間隔が規制される。一対の分岐絶縁部２４２Ａ，２４２ＢがＶ形状に形成されていることにより、簡易的な形状の分岐絶縁部２４２Ａ，２４２Ｂによって圧着端子５１Ａ，５１Ｂ同士の絶縁を行うことができる。
【００３４】
一対の分岐絶縁部２４２Ａ，２４２Ｂは、直線絶縁部２４１から２つに分岐する形状を有していれば、Ｖ形状以外の形状に形成することもできる。一対の分岐絶縁部２４２Ａ，２４２Ｂは、例えば、図５に示すように、直線絶縁部２４１の端部から分岐するとともに、直線絶縁部２４１と平行な状態に形成することができる。
【００３５】
また、絶縁リブ２４は、例えば、図６に示すように、互いに平行な一対の直線絶縁部２４１によって形成することも可能である。この場合に、一対の直線絶縁部２４１は、制御用コネクタ装着部２３Ａから直線状に形成することができる。
【００３６】
（圧着端子５１Ａ，５１Ｂの回り止め）
図１及び図２に示すように、本形態のコネクタ１においては、圧着端子５１Ａ，５１Ｂの回り止めを行う構造が形成されている。締結金具４のネジ穴４３は、螺子５２を右回り（時計回り）に回転させるときに螺子５２が締め付けられる右ねじのネジ穴として形成されている。そして、圧着端子５１Ａ，５１Ｂの締結部５１１の貫通穴５１２に挿通された螺子５２が、圧着端子５１Ａ，５１Ｂを介してネジ穴４３に締め付けられるときには、圧着端子５１Ａ，５１Ｂは、右回りに回転しようとする。そして、一方の圧着端子５１Ａは、分岐絶縁部２４２Ａによって回転が止められる一方、他方の圧着端子５１Ｂは、ハウジング２の本体部２１の裏側面２０１に設けられた突起２５によって回転が止められる。
【００３７】
より具体的には、直線絶縁部２４１が一対の分岐絶縁部２４２Ａ，２４２Ｂの上側に位置する状態でハウジング２の裏側面２０１を見たときに、右側に位置する分岐絶縁部を右側分岐絶縁部２４２Ａとするとともに、右側に位置する締結面４２に締結された圧着端子を右側圧着端子５１Ａとする。また、このとき、左側に位置する分岐絶縁部を左側分岐絶縁部２４２Ｂとするとともに、左側に位置する締結面４２に締結された圧着端子を左側圧着端子５１Ｂとする。
【００３８】
右側圧着端子５１Ａは、締結面４２に螺子５２によって締結される際に、右側分岐絶縁部２４２Ａの端部によって回り止めがなされるよう構成されている。また、左側圧着端子５１Ｂは、締結面４２に螺子５２によって締結される際に、ハウジング２の表面における、左側分岐絶縁部２４２Ｂの端部と対向する位置に設けられた突起２５によって回り止めがなされるよう構成されている。
【００３９】
右側圧着端子５１Ａは、ハウジング２の裏側面２０１を見たときに、絶縁リブ２４の右側分岐絶縁部２４２Ａの右側に配置されることによって、ハウジング２に対する位置決めがなされる。左側圧着端子５１Ｂは、ハウジング２の裏側面２０１を見たときに、絶縁リブ２４の左側分岐絶縁部２４２Ｂと突起２５との間に配置されることによって、ハウジング２に対する位置決めがなされる。そして、右側圧着端子５１Ａ及び左側圧着端子５１Ｂは、ハウジング２に対する位置決めがなされた状態で、螺子５２を用いて締結金具４の締結面４２に締結される。
【００４０】
（電線５の配置）
図２に示すように、本形態の圧着端子５１Ａ，５１Ｂが設けられた電線５は、ハウジング２の裏側面２０１において、絶縁リブ２４を介して互いに平行に配置される。一対の圧着端子５１Ａ，５１Ｂ及び電線５は、ハウジング２の外方に向かうに連れて一対の圧着端子５１Ａ，５１Ｂ及び電線５の間隔が大きくなる状態で、コネクタ１における締結金具４に締結することもできる。換言すれば、一対の圧着端子５１Ａ，５１Ｂ及び電線５は、直線絶縁部２４１の形成方向に対して傾斜する状態で配置されてもよい。
【００４１】
（作用効果）
本形態のコネクタ１においては、電線５の圧着端子５１Ａ，５１Ｂ同士の間の絶縁性を確保するための、ハウジング２の絶縁リブ２４の形状に工夫をしている。具体的には、絶縁リブ２４は、直線絶縁部２４１と、直線絶縁部２４１における、圧着端子５１Ａ，５１Ｂ及び電線５が配置される側に位置する端部から、２つに分岐して設けられた一対の分岐絶縁部２４２Ａ，２４２Ｂとを有する。ハウジング２には、電線５の配線位置をガイドするための部位は形成されていない。
【００４２】
そして、ハウジング２における締結金具４に電線５の圧着端子５１Ａ，５１Ｂが締結される際には、絶縁リブ２４に一対の分岐絶縁部２４２Ａ，２４２Ｂが設けられていることにより、圧着端子５１Ａ，５１Ｂ同士の間の最短距離が一対の分岐絶縁部２４２Ａ，２４２Ｂの最大間隔よりも小さくならないようにすることができる。これにより、ハウジング２に、電線５の配線位置をガイドするための部位が形成されていない場合において、電線５の圧着端子５１Ａ，５１Ｂ間の絶縁性をより適切に確保することができる。
【００４３】
また、絶縁リブ２４及び突起２５によって圧着端子５１Ａ，５１Ｂの回り止めがなされることにより、ハウジング２に対する圧着端子５１Ａ，５１Ｂ及び電線５の配線作業を簡単にすることができる。また、コネクタ１が取り付けられる機械部品６からのオイル漏れを封止材２８によって止めることができ、一対の分岐絶縁部２４２Ａ，２４２Ｂの間のスペースを利用して封止材２８の位置決めを行うことができる。
【００４４】
それ故、本形態のコネクタ１によれば、電線５の圧着端子５１Ａ，５１Ｂ間の絶縁性をより適切に確保し、配線の作業性を向上させるとともにスペースの有効活用を図ることができる。
【００４５】
本発明は、各実施形態のみに限定されるものではなく、その要旨を逸脱しない範囲においてさらに異なる実施形態を構成することが可能である。また、本発明は、様々な変形例、均等範囲内の変形例等を含む。さらに、本発明から想定される様々な構成要素の組み合わせ、形態等も本発明の技術思想に含まれる。
【符号の説明】
【００４６】
１  コネクタ
１１  雌コネクタ
２  ハウジング
２０１  裏側面
２０２  表側面
２１  本体部
２２  取付部
２２１  取付穴
２２２  ボルト
２３Ａ  制御用コネクタ装着部
２３Ｂ  電源用コネクタ装着部
２４  絶縁リブ
２４１  直線絶縁部
２４２Ａ，２４２Ｂ  分岐絶縁部
２５  突起
２６  溝部
２７  位置決め部
２７１  凹部
２７２  位置決めピン
２８  封止材
２８１  封止材取付部
２８２  位置決め穴
３Ａ  制御用端子
３Ｂ  電源用端子
４  締結金具
４１  平板部
４２  締結面
４３  ネジ穴
５  電線
５１Ａ，５１Ｂ  圧着端子
５１１  締結部
５１２  貫通穴
５２  螺子
６  機械部品
６１  ケース
７１  電子制御部品
７２  制御装置
７３  電源
【図１】
2020136180.tif 000003
【図２】
2020136180.tif 000004
【図３】
2020136180.tif 000005
【図４】
2020136180.tif 000006
【図５】
2020136180.tif 000007
【図６】
2020136180.tif 000008